(57)【要約】【課題】複数枚の記録媒体を排出スタッカ上に確実に積載することができる記録装置を提供すること。【解決手段】排出部１９９の高さと略同一位置で、カールしている記録媒体を排出スタッカ１６０上に凸状に載置したときの最頂部付近まで水平に延びて、前記排出部から排出される前記記録媒体を保持する排出ステイ１８０を配設する。これにより、後から排出される記録媒体の先端は、先に排出され排出スタッカ上に載置されている記録媒体の最頂部を越えるので、後から排出される記録媒体が先に排出され排出スタッカ上に載置されている記録媒体を排出スタッカから押し出してしまうようなことは無くなり、後から排出される記録媒体を先に排出され排出スタッカ上に載置されている記録媒体上に確実に積載することができる。【選択図】図１
2006256869.tif 000002
【特許請求の範囲】
【請求項１】
記録媒体の排出部を有する記録装置本体と、当該記録装置本体に回転自在に支持された排出スタッカとを備え、記録書込みした記録媒体を前記排出部から前記排出スタッカに排出する記録装置において、
前記排出部の高さと略同一位置で、カールしている前記記録媒体を前記排出スタッカ上に凸状に載置したときの最頂部付近まで水平に延びて、前記排出部から排出される前記記録媒体を保持する排出ステイが配設されていることを特徴とする記録装置。
【請求項２】
前記排出ステイは、前記記録媒体の片側を保持するように配設されていることを特徴とする請求項１に記載の記録装置。
【請求項３】
前記排出ステイは、前記記録装置本体に対し格納・展開可能なリンク機構で構成されていることを特徴とする請求項１または２に記載の記録装置。
【発明の詳細な説明】
【技術分野】
【０００１】
本発明は、記録媒体に記録する記録装置に関し、特に排出される記録媒体を保持する排出ステイに関する。
【背景技術】
【０００２】
記録装置では、記録する用紙としていわゆるカット紙とロール紙が主に用いられている。例えばカット紙を用いる場合、カット紙は、ホッパーに一旦積層され保持された後、最上層のカット紙から順に給紙部により搬送部へ給紙される。そして、そのカット紙は、搬送部により記録部へ搬送され、記録部により印刷された後、搬送部により排出部へ搬送され排出される。
【０００３】
また、ロール紙を用いる場合、ロール紙は、ロール紙ホルダから給紙部を介して搬送部へ引き出された後、搬送部により記録部へ搬送され、記録部により印刷される。そして、ロール紙は、搬送部により切断部へ搬送された後、切断部により記録が完了した部分が所定長さに切断され、搬送部により排出部へ搬送され排出される。
【０００４】
【特許文献１】特開２００２−３６６４５号公報
【発明の開示】
【発明が解決しようとする課題】
【０００５】
上述した記録装置は、切断部を構成するカッタと、このカッタの近傍であって搬送最下流に配設された搬送部を構成する排紙ローラと、この排紙ローラの下方に所定距離をあけて配設された排出部を構成する排紙スタッカを備えている。ロール紙は、カッタで切断された後、排紙ローラで送出されて排紙スタッカ上に放出されるようになっている。
【０００６】
ところで、ロール紙は、通常は内径２インチの芯に外径が約４インチ弱となるように巻回されているため巻き癖（カール）が付いている。このため、排紙ローラから送出されるロール紙は常に斜め下方に進行し、また排紙スタッカ上に放出されるロール紙は排紙スタッカ上で盛り上がった状態、すなわち印刷面が上方を向いた状態で載置されることになるので、図２６〜図２８に示すような問題が発生する。
【０００７】
図２６に示す場合は、排紙スタッカ２の載置面から排紙高さ位置の基準とする排紙ローラ１の送出面までの高さ（以下、スタッカ高さという）ｈｓが、ロール紙Ｒ１を載置したときの載置面からロール紙Ｒ１の最頂部ｔまでの高さ（以下、カール高さという）ｈｃより小さく設定されている場合である。この場合、先に排紙ローラ１から送出され排紙スタッカ２上に放出されたロール紙Ｒ１は、排紙スタッカ２上で盛り上がった状態で載置される。ところが、次に排紙ローラ１から送出されるロール紙Ｒ２は斜め下方に進行するため、ロール紙Ｒ２の先端が先のロール紙Ｒ１の中腹部を押すことになる。このため、先のロール紙Ｒ１は排紙スタッカ２の先端から外部へ押し出されてしまう場合がある。
【０００８】
図２７に示す場合は、スタッカ高さｈｓがカール高さｈｃより大きく設定されている場合である。この場合、最初に排紙ローラ１から送出されるロール紙Ｒ０は、後端が排紙ローラ１から離れるとき、先端は排紙スタッカ２上にまだ達していないため、落下するときに回転して排紙スタッカ２上で反転した状態、すなわち印刷面が下方を向いた状態で載置されてしまう場合がある。
【０００９】
図２８に示す場合は、スタッカ高さｈｓが単に大きく設定されている場合である。この場合、カット紙Ｐは、ロール紙のようにロールしておらず、さらにロール紙より軽量であるため、落差が大きい分だけ滑空して排紙スタッカ２の先端から外部へ滑り落ちてしまう場合がある。
【００１０】
本発明は、上記のような課題に鑑みなされたものであり、その目的は、複数枚の記録媒体を排出スタッカ上に確実に積載することができる記録装置を提供することにある。
【課題を解決するための手段】
【００１１】
上記目的達成のため、本発明に係る記録装置は、記録媒体の排出部を有する記録装置本体と、当該記録装置本体に回転自在に支持された排出スタッカとを備え、記録書込みした記録媒体を前記排出部から前記排出スタッカに排出する記録装置において、前記排出部の高さと略同一位置で、カールしている前記記録媒体を前記排出スタッカ上に凸状に載置したときの最頂部付近まで水平に延びて、前記排出部から排出される前記記録媒体を保持する排出ステイが配設されていることを特徴としている。これにより、後から排出される記録媒体の先端は、先に排出され排出スタッカ上に載置されている記録媒体の最頂部を越えるので、後から排出される記録媒体が先に排出され排出スタッカ上に載置されている記録媒体を排出スタッカから押し出してしまうようなことは無くなり、後から排出される記録媒体を先に排出され排出スタッカ上に載置されている記録媒体上に確実に積載することができる。
【００１２】
また、前記排出ステイは、前記記録媒体の片側を保持するように配設されていることを特徴としている。これにより、排出部から排出され排出ステイに保持される記録媒体は、排出ステイに保持されない側の側部が垂れ下がった状態になるので、この記録媒体の先端は先に排出され排出スタッカ上に載置されている記録媒体の最頂部を越えなくても斜めに当たることになるので、後から排出される記録媒体の先端は先に排出され排出スタッカ上に載置されている記録媒体の最頂部を容易に乗り越えることができる。
【００１３】
また、前記排出ステイは、前記記録装置本体に対し格納・展開可能なリンク機構で構成されていることを特徴としている。これにより、排出ステイを簡易な折り畳み構造とすることができるので、コストを抑えることができる。
【発明を実施するための最良の形態】
【００１４】
以下、図面に基づいて本発明の実施の形態について詳細に説明する。
【００１５】
図１は、本発明の一実施の形態に係る記録装置の１つであるインクジェット式記録装置の外装構成の全体を斜め前方から見た斜視図である。このインクジェット式記録装置１００は、全体が幅方向に長く延びる略直方体状のハウジング１０１を備えている。このハウジング１０１の上部から前面にかけて形成されている窓部は、透明もしくは半透明な湾曲したカバー１１０によって覆われている。
【００１６】
そして、ハウジング１０１の上部右側には、操作部１２０等が配設され、ハウジング１０１の前部右側には、カードスロット部１３０等が配設されている。さらに、ハウジング１０１の後方側には、給紙口１４０等が配設され、ハウジング１０１の前方側には、排紙口１５０、排紙スタッカ１６０、排紙サポート１７０及び排紙ステイ１８０等が配設されている。
【００１７】
カバー１１０は、その上部の回動軸を中心に図１の矢印ａ方向に回動可能に取り付けられている。ユーザは、カバー１１０を持ち上げて窓部を開放することにより、窓部を通して後述するキャリッジ上に収納されるインクカートリッジの交換作業や内部機構のメンテナンス作業等を行うことができる。
【００１８】
操作部１２０は、パワーをオン・オフするパワー系のスイッチ１２１と、用紙の頭出し等を操作したり、インクのフラッシング等を操作する操作系のスイッチ１２２と、画像処理等を行う処理系のスイッチ１２３と、状態を表示する液晶パネル１２４等を備えている。
【００１９】
カードスロット部１３０は、ＰＣＭＣＩＡ  ＡＴＡ規格に準拠したメモリカードや、コンパクトフラッシュ（登録商標）、スマートメディア、メモリーステイック、マイクロドライブ、ＳＤカード等を必要であればＰＣカード用アダプタを介して読み書きするメモリカードドライブを備えている。
【００２０】
給紙口１４０には、その後縁と両端縁を囲むようにガイド壁１４１、１４２、１４３が形成されている。ガイド壁１４１は、用紙の面をガイドし、ガイド壁１４２は、用紙の一方のサイドエッジをガイドする機能を有する。そして、用紙のサイズが異なっても確実に用紙をガイドすることができるように、用紙の他方のサイドエッジをガイドするエッジガイドが、給紙口１４０の両端縁に形成されているガイド壁１４２、１４３間を、後縁に形成されているガイド壁１４１に沿って移動可能なように装着されている。
【００２１】
そして、このインクジェット式記録装置１００は、不連続の用紙、すなわちカット紙の印刷と、連続した用紙、すなわちロール紙の印刷が可能である。ここで、図２及び図３は、インクジェット式記録装置１００の内部構成例を示す断面側面図である。図２に示すように、カット紙Ｐを印刷する場合は給紙口１４０の背部にカット紙Ｐを保持するペーパーサポート１４４が取り付けられ、また、図３に示すように、ロール紙Ｒを印刷する場合は給紙口１４０の背部にロール紙Ｒを保持したロール紙ホルダ１０が取り付けられる。なお、ペーパーサポート１４４とロール紙ホルダ１０は、着脱可能に構成されており、何れか一方が取り付けられるようになっている。
【００２２】
ペーパーサポート１４４は、カット紙Ｐの面を保持する機能を有し、給紙口１４０のガイド壁１４１に近接して斜め後方に突き出るように配設される。ロール紙ホルダ１０は、ロール紙Ｒの中心軸穴に貫入される軸芯１１及びこの軸芯１１の両端を回転自在に支持してロール紙Ｒの両端部をそれぞれ覆う一対のカバー１２を備えている。カバー１２は、給紙口１４０の後方に着脱自在に取り付けられる。
【００２３】
そして、図２に示すように、給紙口１４０から差し込まれ、ホッパー１９１に積載された複数枚のカット紙Ｐは、給紙ローラ１９２の回転に伴うホッパー１９１の上昇により、分離パッド１９３で給紙ローラ１９２に押付けられて最上位のカット紙Ｐから１枚づつ分離され、ぺーパーガイド１９４に沿って紙送りローラ１９５に給送される。一方、図３に示すように、ロール紙ホルダ１０から引き出され、給紙口１４０から紙送りローラ１９５に差し込まれたロール紙Ｒは、紙送りローラ１９５とその従動ローラ１９５ａとで挟持される。
【００２４】
そして、図２に示すカット紙Ｐあるいは図３に示すロール紙Ｒは、紙送りローラ１９５とその従動ローラ１９５ａによりキャリッジ１９６の底部に搭載された記録ヘッド１９７側へ送り出されて印刷される。このとき、インクジェット式記録装置１００の制御部は、例えばイエロー、ライトイエロー、マゼンタ、ライトマゼンタ、シアン、ライトシアン、ブラックの計７色のインクカートリッジ１９８から記録ヘッド１９７へ各色インクを供給し、各色インクの吐出タイミング及びキャリッジ１９６や紙送りローラ１９５の駆動を制御して、高精度なインクドット制御、ハーフトーン処理等を実行する。最後に、カット紙Ｐは、排紙ローラ１９９とその従動ローラ１９９ａにより排紙口１５０から排紙され、またロール紙Ｒは、カッタ２０により所定長さに切断された後、排紙ローラ１９９とその従動ローラ１９９ａにより排紙口１５０から排紙される。
【００２５】
排紙口１５０の近傍には、図４に示すように、ロール紙Ｒを所定の長さに切断するカッタ２０と、用紙を排出する排紙ローラ１９９が用紙搬送方向に順に配設されている。カッタ２０は、長尺の固定刃２１とこの固定刃２１に沿って移動可能な移動刃２２とこの移動刃２２を移動させる無端駆動ベルト２３を備えている。
【００２６】
そして、このカッタ２０及び排紙ローラ１９９は、用紙搬送方向と直交する方向に配設されたフレーム１０２に取り付けられている。すなわち、カッタ２０の固定刃２１と無端駆動ベルト２３及び排紙ローラ１９９は、フレーム１０２の長手方向に延びるように配設され、カッタ２０の移動刃２２は、フレーム１０２の長手方向に往復動するように配設されている。
【００２７】
移動刃２２は、ロータリ刃２４とロータリ刃２４から見て用紙搬送方向後方側に隣接して位置する押し付けローラ２５とが、ホルダ本体２６内に回転軸２７により回転自在に軸支されている。ホルダ本体２６の上面であってロール紙Ｒを切断する際に移動刃２１が進行する方向の後方側には、ロータリ刃２４から見て用紙搬送方向前方側に突出した支持面２６ａが形成されている。この支持面２６ａは、移動刃２１がロール紙Ｒの幅方向に移動して切断が終了した時点でロール紙Ｒの右側端部を支持し、次の切断準備のために移動刃２１が元の位置に戻る際にロール紙Ｒの右側辺に衝突して右側端部を曲げてしまうことを防止するために形成されている。
【００２８】
また、ホルダ本体２６の上面であってロール紙Ｒを切断する際に移動刃２１が進行する方向の前方側には、傾斜した案内面２６ｂが形成されている。そして、この案内面２６ｂの上方にロータリ刃２４の一部が突出している。このロータリ刃２４の突出した部分は、ロール紙Ｒの非印刷面側に臨むように配置されている。この案内面２６ｂにより、ロータリ刃２４によるロール紙Ｒの切断と、この切断に続く支持面２６ｂ上への切断用紙の載行を円滑に実現することができる。
【００２９】
ロータリ刃２４は、周囲に刃が形成された円形状に形成されており、回転軸２７に設けられたコイルバネ２８によって押し付けローラ２５に常時付勢されている。押し付けローラ２５は、ロータリ刃２４より小さな直径に形成されており、ロータリ刃２４と同心状であってロール紙Ｒの下面側に圧接するように位置決めされている。これにより、移動刃２２がロール紙Ｒの幅方向に進行すると、押し付けローラ２５は周面とロール紙Ｒの下面との間の摩擦により回転し、ロータリ刃２４も回転駆動するようになっている。
【００３０】
ホルダ本体２６の上方には、ロール紙Ｒの進行路を挟んで反対側に連結部２９が形成されている。連結部２９は、無端駆動ベルト２３に接続するために形成された部分であり、具体的には連結部２９に形成された連結孔２９ａにネジやリベットを通して無端駆動ベルト２３側と接続できるようになっている。ホルダ本体２６の支持面２６ｂが形成された部分によって、ホルダ本体２６と連結部２９とが接続されており、これにより移動刃２２の全体を一体的に射出成形することができる。そして、ホルダ本体２６の上方に無端駆動ベルト２３と接続できる連結部２９を形成することにより、ロータリ刃２４により切断されたロール紙Ｒの紙片（ゴミ）が落下したときに、ゴミが無端駆動ベルト２３に引っ掛かることを回避することができる。
【００３１】
ロール紙Ｒが切断位置に位置決めされると、無端駆動ベルト２３が駆動して移動刃２２がロール紙の幅方向に移動開始する。このとき、押し付けローラ２５の周面はロール紙Ｒの非印刷面（下面）に圧接されるため、移動刃２２の移動に伴って押し付けローラ２５が回転し、これによって押し付けローラ２５に付勢されているロータリ刃２４も回転して固定刃２１と協働しながらロール紙Ｒを剪断する。
【００３２】
このように、押し付けローラ２５の周面がロール紙Ｒの非印刷面側からロール紙Ｒを圧接するため、印刷面側に圧接跡が残ったり、印刷面のインクを擦ってしまうことはない。また、ロータリ刃２４の作用する面がロール紙Ｒの非印刷面であるから、ロータリ刃２４と固定刃２１とによる剪断作用で粗状態になった部分がロール紙Ｒの非印刷面側となり、印刷面側から印刷物を見たときの外観が良好となる。
【００３３】
排紙スタッカ１６０は、基端側の回動軸を中心にハウジング１０１の前面に図１の矢印ｂ方向に回動可能に取り付けられた１段目のスタッカ部材１６１と、この１段目のスタッカ部材１６１に対し格納・引出自在に設けられた先端側の２段目のスタッカ部材１６２と、この２段目のスタッカ部材１６２に対し格納・引出自在に設けられた先端側の３段目のスタッカ部材１６３の３段で構成されている。
【００３４】
この排紙スタッカ１６０は、不使用時は２断目と３段目のスタッカ部材１６２、１６３が１断目と２段目のスタッカ部材１６１、１６２に押し込まれて格納されるとともに、起立方向に回動されて排紙口１５０を閉鎖するようになっている。また、使用時は図５に示すように倒伏方向に回動されて排紙口１５０を開放するとともに、２断目と３段目のスタッカ部材１６２、１６３が１断目と２段目のスタッカ部材１６１、１６２から引き出されて、排出される用紙を受けて載置するようになっている。なお、２断目と３段目のスタッカ部材１６２、１６３は、用紙の大きさにより格納された状態で、あるいは引き出された状態で使用可能となっている。
【００３５】
さらに、排紙スタッカ１６０の１段目のスタッカ部材１６１には、排出される複数枚の用紙を順に整理された状態で積載させる際に補助する排紙サポート１７０が配設されている。この排紙サポート１７０は、詳細は後述するが、第１ストッパ１７１、ガイド１７２、第２ストッパ１７３、カバー１７４、ガード１７５等を備えている。また、排紙サポート１７０の上方であって排紙ローラ１９９の右側のハウジング１０１には、排出される用紙を支持する排紙ステイ１８０が配設されている。この排紙ステイ１８０も、詳細は後述するが、ステイ１８１、ステイリンク１８２等を備えている。
【００３６】
ここで、ロール紙のサイズは、幅が８９ｍｍ、１００ｍｍ、１２７ｍｍ、２１０ｍｍの４種類がある。８９ｍｍ幅は１２７ｍｍ間隔で切断されてＬ判に仕上げられ、１００ｍｍ幅は１４８ｍｍ間隔で切断されてはがきに仕上げられ、１２７ｍｍ幅は１７８ｍｍ間隔で切断されて２Ｌ判または８９ｍｍ間隔で切断されてＬ判（ランドスケープ（横方向））に仕上げられ、２１０ｍｍ幅は２９７ｍｍ間隔で切断されてＡ４判または所定長の垂れ幕に仕上げられる。また、用紙種類としては、光沢が強く、表面が滑る専用紙１と、光沢が有り、表面が滑る専用紙２と、光沢が無く、表面が滑らない専用紙３がある。すなわち、専用紙１はインクが最も染み込み難く、専用紙２はインクがやや染み込み難く、専用紙３はインクが最も染み込み易い。
【００３７】
図６（Ａ）は、印刷濃度を変化させたときのロール紙の用紙種類毎のカール状態を示す。カール大は曲率半径が最も小さい状態を表し、カール中からカール小になるにしたがって曲率半径が次第に大きくなり、カール極小はほぼ平坦な状態を表す。文字程度の印刷、すなわち最大で３％〜７％の極低濃度印刷では、各専用紙１、２、３ともにカール大となる。白基調の写真の印刷、すなわち３０％〜５０％の低濃度印刷では、専用紙１、２、３の順でカール大、カール中、カール小となる。通常の写真の印刷、すなわち８０％〜１２０％の高濃度印刷では、専用紙１、２の順でカール大、カール中となり、専用紙３ではカール極小となる。このように、インクの染み込み量が多くなるにつれてカールは小さくなる。
【００３８】
図６（Ｂ）は、高濃度印刷したロール紙の切断長を変化させたときのロール紙の用紙種類毎のカール高さを示す。カール高さは、最も低くなるカット紙を１、最も高くなる専用紙１の２Ｌ判を１０としたときの相対量である。Ｌ判では、専用紙１、２、３の順でカール高さは６、５、２となり、はがきでは、専用紙１、２、３の順でカール高さは８、６、２となり、２Ｌ判では、専用紙１、２、３の順でカール高さは１０、８、３となる。このように、サイズが大きくなるにつれてカール高さは大きくなる。
【００３９】
このようにカール高さが高い用紙や低い用紙に対し複数枚順に整理された状態で排紙スタッカ１６０上に積載させるために、本実施形態の排紙スタッカ１６０のスタッカ高さ及びスタッカ角度は以下のように構成されている。すなわち、図７に示すように、スタッカ高さｈｓは、カール高さｈｃより僅かに大きくなるように設定する。この僅かな大きさは、ロール紙を積載するときの枚数分の紙厚とする。
【００４０】
具体的には、スタッカ高さｈｓを例えば５〜６のカール高さｈｃと例えば３０枚分〜４０枚分の紙厚を加算した値に設定する。このようなスタッカ高さｈｓとすることにより、後から排出されるロール紙Ｒ２の先端は、先に排出され排紙スタッカ１６０上に載置されているロール紙Ｒ１の最頂部ｔを越えるので、ロール紙Ｒ２がロール紙Ｒ１を排紙スタッカ１６０から押し出してしまうようなことは無くなり、ロール紙Ｒ２はロール紙Ｒ１上に積載されることになる。なお、スタッカ高さｈｓは、最もカールしているロール紙のカール高さｈｃ、具体的には１０のカール高さｈｃに丁度合わせて設定するようにしてもよい。
【００４１】
また、図８に示すように、スタッカ高さｈｓは、最短の切断間隔のロール紙Ｒ０が反転しない高さに設定するようにしてもよい。すなわち、最初に排出されるロール紙Ｒ０の後端が排紙ローラ１９９から離れるとき、先端が排紙スタッカ１６０上に既に達している高さのうち最大高さとなるように設定する。具体的には、スタッカ高さｈｓを例えばＬ判のロール紙が反転しない高さに設定する。このようなスタッカ高さｈｓとすることにより、最初に排出されるロール紙Ｒ０は、後端が排紙ローラ１９９から離れるとき、先端は排紙スタッカ１６０上に達しているので、落下して反転してしまうようなことは無くなり、ロール紙Ｒ０は排紙スタッカ１６０上に盛り上がった状態で載置されることになる。
【００４２】
一方、図９に示すように、スタッカ角度θｓは、カット紙Ｐの後端が排紙ローラ１９９から離れる前にカット紙Ｐの先端が排紙スタッカ１６０に到達し、カット紙Ｐの後端が排紙ローラ１９９から離れて落下する際の先端方向への押力より、カット紙Ｐの先端が排紙スタッカ１６０上を摺って上る際の後端方向への抵抗力の方が大きくなるように設定する。
【００４３】
具体的には、スタッカ角度θｓを例えばＡ４サイズのカット紙が上記条件を満たすように設定する。このようなスタッカ角度θｓとすることにより、カット紙Ｐの後端が排紙ローラ１９９から離れてもカット紙Ｐの先端が排紙スタッカ１６０に既に接触しているのでそれ以上の進行は阻止され、さらにカット紙Ｐの先端と排紙スタッカ１６０との摩擦が大きいため排紙スタッカ１６０上での進行も阻止される。したがって、カット紙Ｐは滑空や滑走して排紙スタッカ１６０の先端から外部へ滑り落ちてしまうようなことは無くなり、カット紙Ｐは排紙スタッカ１６０上に載置されることになる。
【００４４】
以上のようにして設定されたスタッカ高さｈｓ及びスタッカ角度θｓは、一般的なスタッカ高さが約２５ｍｍ〜３０ｍｍ、スタッカ角度が６度〜８度であるのに対し５５ｍｍ、１０度となる。
【００４５】
さらに、カール高さが高い用紙や低い用紙に対し複数枚順に整理された状態で排紙スタッカ１６０上に積載させるために、本実施形態の排紙スタッカ１６０には排紙サポート１７０を構成する第１ストッパ１７１が配設されている。すなわち、図１０、図１１及び図１２に示すように、第１ストッパ１７１が、排紙ローラ１９９のほぼ真下の１段目のスタッカ部材１６１の後端近傍に幅方向に延びる溝状に形成されている。この第１ストッパ１７１は、奥行きが５ｍｍ〜１５ｍｍ、幅が１２７ｍｍ幅のロール紙より１０ｍｍ〜１５ｍｍ大きめの１３７ｍｍ〜１４２ｍｍ、深さが５ｍｍ〜１０ｍｍ程度に形成されている。
【００４６】
このような溝状の第１ストッパ１７１を形成することにより、図１２に示すように、先に排出されたロール紙Ｒ１の後端は第１ストッパ１７１内に落ち込んで引っ掛かるので、後から排出されるロール紙Ｒ２の先端が例えロール紙Ｒ１の中腹部を押すことになっても、ロール紙Ｒ２がロール紙Ｒ１を排紙スタッカ１６０から押し出してしまうようなことを防止することができ、ロール紙Ｒ２はロール紙Ｒ１上に積載されることになる。
【００４７】
さらに、先に排出されたロール紙Ｒ１の後端は第１ストッパ１７１内に落ち込み、ロール紙Ｒ１の最頂部ｔは第１ストッパ１７１が形成されていないときの最頂部ｔ´に比べ、ｄ１だけ低くなるとともにｄ２だけ排紙ローラ１９９側に移動するので、後から排出されるロール紙Ｒ２の先端はロール紙Ｒ１の最頂部を越え易くなり、ロール紙Ｒ２が先のロール紙Ｒ１を排紙スタッカ１６０から押し出してしまうようなことは無くなり、ロール紙Ｒ２はロール紙Ｒ１上に積載されることになる。
【００４８】
一方、排紙スタッカ１６０を上述したスタッカ高さｈｓ及びスタッカ角度θｓに設定することにより、図１３に示すように、排紙ローラ１９９から送り出されるロール紙Ｒは、カールにより下方向に向きを変えて排紙スタッカ１６０にほぼ直角に近い角度で突入して送られることになる。そして、このときの衝撃と送り抵抗がロール紙Ｒの全体に伝わり、紙送りが詰まった状態になり、印刷の乱れになる。
【００４９】
そこで、本実施形態の排紙スタッカ１６０には排紙サポート１７０を構成するガイド１７２が配設されている。すなわち、図１０、図１１及び図１４に示すように、ガイド１７２が、第１ストッパ１７１の手前の１段目のスタッカ部材１６１上に幅方向に延びる山脈状に形成されている。このガイド１７２は、頂上部から奥側、すなわち第１ストッパ１７１側に至る斜面１７２ａは約４５度の急斜面として形成され、頂上部から手前側に至る斜面のうち頂上部から中腹部に至る斜面１７２ｂは比較的急斜面として形成され、中腹部から裾野部に至る斜面１７２ｃは緩斜面として形成されている。さらに、上記中腹部は、図１４の断面図に示すように、幅方向に延びる尾根１７２ｄが山状に形成されている。
【００５０】
このような山脈状のガイド１７２を形成することにより、図１４に示すように、排出されたロール紙Ｒの先端は、先ずその一部が尾根１７２ｄの頂部に当たり、次に他部が斜面１７２ｂ及び斜面１７２ｃに導かれて滑り落ちるので、上述したような排紙スタッカ１６０にほぼ直角に近い角度で突入して送られることを防止することができ、紙送り精度及び印刷精度を向上させることができる。
【００５１】
さらに、図１５に示すように、排出されたロール紙Ｒの後端は、急な斜面１７２ａに乗って第１ストッパ１７１内に滑り落ちることになるので、第１ストッパ１７１の持つロール紙Ｒの係止効果を確実に発揮させることができる。また、ガイド１７２が隆起しているので第１ストッパ１７１の深さが見掛け深くなっており、さらに第１ストッパ１７１の持つロール紙Ｒの係止効果を確実に発揮させることができる。
【００５２】
一方、排紙スタッカ１６０に形成した第１ストッパ１７１は、カール高さが５〜６のロール紙に対しては有効であるが、カール高さが４以下のロール紙またはカット紙に対しては有効でない。すなわち、図１６に示すように、カール高さが４以下のロール紙Ｒ１またはカット紙Ｐ１は、後端が第１ストッパ１７１に十分引っ掛からず、さらにガイド１７２により持ち上げられた状態になるので、後から排出されるロール紙Ｒ２またはカット紙Ｐ２の先端がロール紙Ｒ１またはカット紙Ｐ１を押すことにより、ロール紙Ｒ２またはカット紙Ｐ２がロール紙Ｒ１またはカット紙Ｐ１を排紙スタッカ１６０から押し出してしまう場合がある。
【００５３】
このことは、特に表面の平滑が無く、艶消しになっている専用紙３は用紙間の摩擦力が強く作用するため、後から排出されるロール紙Ｒ２またはカット紙Ｐ２の先端が先に排出されたロール紙Ｒ１またはカット紙Ｐ１の表面に擦れるだけで、ロール紙Ｒ２またはカット紙Ｐ２がロール紙Ｒ１またはカット紙Ｐ１を排紙スタッカ１６０から押し出してしまう場合がある。
【００５４】
そこで、本実施形態の排紙スタッカ１６０には排紙サポート１７０を構成する第２ストッパ１７３が配設されている。すなわち、図１０、図１１及び図１７に示すように、第２ストッパ１７３が、ガイド１７２の頂上部付近、すなわち最高点付近から斜面１７２ｂ側に配設されている。この第２ストッパ１７３は、用紙間の摩擦力よりも大きな摩擦力を有する材料、例えばスポンジやゴム等の発泡性材料で例えば板状に形成されて貼付されている。
【００５５】
このような第２ストッパ１７３を配設することにより、図１７に示すように、後から排出されるロール紙Ｒ２またはカット紙Ｐ２の先端が先に排出されたロール紙Ｒ１またはカット紙Ｐ１の表面で擦れても、第２ストッパ１７３とロール紙Ｒ１またはカット紙Ｐ１との摩擦力が用紙間の摩擦力に打ち勝つため、第２ストッパ１７３はロール紙Ｒ１またはカット紙Ｐ１の滑り止め作用を発揮する。したがって、ロール紙Ｒ２またはカット紙Ｐ２がロール紙Ｒ１またはカット紙Ｐ１を排紙スタッカ１６０から押し出してしまうようなことを防止することができ、ロール紙Ｒ２はロール紙Ｒ１上に積載されることになる。
【００５６】
一方、排紙スタッカ１６０に形成した第１ストッパ１７１は、カール高さが５〜６のロール紙に対しては有効であるが、カール高さが７以上のロール紙に対しては有効でない。すなわち、図１８に示すように、カール高さが７以上のロール紙Ｒ１は、後端が第１ストッパ１７１に十分引っ掛かるので、後から排出されるロール紙Ｒ２の先端がロール紙Ｒ１を押してもロール紙Ｒ２がロール紙Ｒ１を排紙スタッカ１６０から押し出してしまうことはないが、その反面、ロール紙Ｒ２はロール紙Ｒ１に紙送りの進行を阻害され、排紙ローラ１９９とロール紙Ｒ１の間の空中で丸まって積載不能になる場合がある。
【００５７】
そこで、本実施形態には排紙ステイ１８０が配設されている。すなわち、図１９に示すように、排出されるロール紙を支持する排紙ステイ１８０が、排紙サポート１７０の上方であって排紙ローラ１９９の右側のハウジング１０１において排紙ローラ１９９の高さと同一か僅かに低い位置に、リンク機構により未使用時にはハウジング１０１内に格納可能（図１９（Ａ））に、使用時には展開可能（図１９（Ｂ））に配設されている。
【００５８】
排紙ステイ１８０を排紙ローラ１９９の高さより高い位置に配設すると、排出されるロール紙を反り返してしまうおそれがあるからである。排紙ローラ１９９の高さより僅かに低い分とは、ロール紙に発生しているカールで負荷が増大しない程度であり、またロール紙に発生しているカールで逃げる分の遊び分程度である。
【００５９】
この排紙ステイ１８０は、図１９に示すように、排出されるロール紙の先端の片側を直接支持する棒状のステイ１８１と、このステイ１８１の中央部を下方から斜めに支持する棒状のステイリンク１８２を備えている。ステイ１８１は、水平のときに排紙スタッカ１６０上に載置されたロール紙の最頂部付近まで延びる長さに形成されているとともに、排紙ローラ１９９側の側面が傾斜面に形成されている。
【００６０】
このような排紙ステイ１８０を配設することにより、図２０に示すように、後から排出されるロール紙Ｒ２の先端は、ステイ１８１に支持されていない側が若干垂れ下がった状態で先に排出され排紙スタッカ１６０上に載置されているロール紙Ｒ１の最頂部ｔ付近まで導かれるので、ロール紙Ｒ１の最頂部ｔを越え易く、またロール紙Ｒ１の最頂部ｔを例え越えなくてもロール紙Ｒ２の先端は幅方向に斜めになった状態でロール紙Ｒ１の中腹部に当たるので、ロール紙Ｒ１の最頂部ｔを越え易くなる。
【００６１】
したがって、ロール紙Ｒ２がロール紙Ｒ１に紙送りの進行を阻害されて排紙ローラ１９９とロール紙Ｒ１の間の空中で丸まってしまうようなことは無くなり、ロール紙Ｒ２はロール紙Ｒ１上に積載されることになる。さらに、後から排出されるロール紙Ｒ２の後端は、排紙ローラ１９９から送り出されると、ステイ１８１の傾斜した側面に沿って滑り落ちるので、排紙スタッカ１６０上に確実に載置されることになる。
【００６２】
この排紙ステイ１８０は、排紙スタッカ１６０を起立方向に回動させて排紙口１５０を閉鎖するときに、排紙スタッカ１６０に押されて上方向に折り畳まれ、カッタ２０の前面側のハウジング１０１に形成されている格納部に垂直に収納され、排紙スタッカ１６０を倒立方向に回動させて排紙口１５０を開放するときに、バネ力により自動的に上記収納部から飛び出るようになっている。
【００６３】
これにより、ユーザが排紙スタッカ１６０を開閉するだけで、それに追従して排紙ステイ１８０も自動的に開閉するので、排紙ステイ１８０を収納し忘れて排紙スタッカ１６０を収納することができなかったり、排紙ステイ１８０を引き出し忘れてロール紙を積載することができなかったりする事態を防止することができる。
【００６４】
図２１は、排紙ステイ１８０の詳細を示す平面図である。ステイ１８１は、先端部が斜めにカットされた形状に形成され、中央部がステイリンク１８２の先端部に回転自在に支持され、後端部に形成されたピン１８１ａがカッタ２０の前面側のハウジング１０１に形成されている略Ｃ字状のカム溝１８１ｂに挿入されている。
【００６５】
ステイリンク１８２は、先端部の近傍がステイ１８１の中央部の近傍と圧縮コイルバネ１８３に係止されて図示左回りに付勢され、後端部がカッタ２０の前面側のハウジング１０１に回転自在に支持されている。このステイリンク１８２は、排紙スタッカ１６０を起立方向に回動させてステイ１８１の先端部に達したときの傾斜した排紙スタッカ１６０とほぼ平行となるように配設されている。
【００６６】
このような構成において、排紙ステイ１８０を図１９（Ａ）の状態から図１９（Ｂ）に示すようにハウジング１０１の格納部に格納した状態にするときは、排紙スタッカ１６０を起立方向に回動させてステイ１８１の先端部を圧縮コイルバネ１８３の弾性力に反して斜め上方に押し上げる。すると、ステイ１８１の後端部に形成されたピン１８１ａが、カム溝１８１ｂ内で後方に移動し、さらにその勢いで下方に移動するので、ステイ１８１全体はその中央部の回転軸を中心に回転する。さらに、排紙スタッカ１６０を起立方向に回動させてステイ１８１全体を斜め上方に押し上げる。すると、ステイ１８１及びステイリンク１８２全体がステイリンク１８２の後端部の回転軸を中心に回転する。これにより、排紙ステイ１８０を上記格納部に垂直に収納することができる。
【００６７】
一方、排紙ステイ１８０を図１９（Ｂ）の状態から図１９（Ａ）に示すようにハウジング１０１の格納部から出した状態にするときは、排紙スタッカ１６０を倒立方向に回動させると、圧縮コイルバネ１８３の復元力によりステイ１８１及びステイリンク１８２全体がステイリンク１８２の後端部の回転軸を中心に先程とは逆方向に回転し、さらにステイ１８１全体はその中央部の回転軸を中心に先程とは逆方向に回転する。これにより、排紙ステイ１８０を上記格納部から出すことができる。
【００６８】
ここで、カッタ２０を使用してロール紙を切断する方法としては、図２２（Ａ）に示すように、連続して隙間無く定型サイズの写真Ｉを印刷し、写真Ｉと写真Ｉの間を１箇所切断する方法と、図２２（Ｂ）に示すように、定型サイズより上下に大きく印刷し、写真Ｉと写真Ｉの間に隙間を設けて定型サイズに上下の２箇所切断する方法の２種類がある。これらの切断方法は、ユーザがドライバ上から選択することができる。
【００６９】
前者の切断方法の場合は、写真Ｉと写真Ｉの境界と切断位置がずれると、その分隣の写真Ｉの画像が切断位置付近に残ってしまうが、余分なゴミが発生しない。一方、後者の切断方法の場合は、その写真画像上を切断するので、隣の写真Ｉの画像が含まれることはないが、余分なゴミ（紙送り方向に例えば約１８ｍｍ幅の短冊状の紙片）が写真Ｉ間に発生する。
【００７０】
上述したように、排紙スタッカ１６０に溝状の第１ストッパ１７１を形成すると、上記ゴミは排紙スタッカ１６０上に載置されたカールしたロール紙上から第１ストッパ１７１内あるいは第１ストッパ１７１の奥側へ滑り落ちて溜まることになる。溜まったゴミは速やかに外部に出さないと、ロール紙を排紙スタッカ１６０上に積載することが困難になったり、装置の動作不良の原因になったりするおそれがある。ところが、ゴミの幅が細いうえに第１ストッパ１７１の溝幅が狭く、ガイド１７２の山高さが高いので、ユーザがゴミを指で摘み出すことが非常に困難となっている。
【００７１】
そこで、本実施形態の排紙スタッカ１６０には排紙サポート１７０を構成するカバー１７４及びガード１７５が配設されている。すなわち、図２３及び図２４に示すように、カバー１７４が、第１ストッパ１７１の溝穴を覆うように１段目のスタッカ部材１６１に配設され、ガード１７５が、第１ストッパ１７１の奥の１段目のスタッカ部材１６１上に幅方向に延びる壁状に形成されている。
【００７２】
このカバー１７４は、図２５に示すように、後端が第１ストッパ１７１の手前側の内側壁上部に第１ストッパ１７１内で回動自在となるように取り付けられている。そして、第１ストッパ１７１の手前側の内側壁には、１段目のスタッカ部材１６１に対し格納・引出自在に設けられた２段目のスタッカ部材１６２が通過可能な穴１７１ａが形成されている。
【００７３】
したがって、ユーザが２段目のスタッカ部材１６２を１段目のスタッカ部材１６１に格納すると、自動的にカバー１７４が２段目のスタッカ部材１６２の後端に押し上げられて第１ストッパ１７１の溝穴を覆い、またユーザが２段目のスタッカ部材１６２を１段目のスタッカ部材１６１から引き出すと、２段目のスタッカ部材１６２の後端がカバー１７４から離れるので、カバー１７４は自重で垂れ下がって第１ストッパ１７１の溝穴を開放する。２段目のスタッカ部材１６２を１段目のスタッカ部材１６１に格納した状態で使用するのは、はがき程度のサイズのカット紙を印刷する場合であるが、その際にこのカバー１７４は第１ストッパ１７１の溝穴を隠す化粧の役目をする。
【００７４】
さらに、図１０、図１１及び図２５に示すように、カバー１７４の回動軌跡と同心の円形状の切り欠きを有するリブ１７６が、第１ストッパ１７１の奥側の内側壁に長手方向にわたって所定間隔をあけて複数形成されている。そして、図１１、図２３及び図２４に示すように、カバー１７４の先端には、リブ１７６にオーバーラップする突起１７４ａが所定間隔をあけて複数形成され、図１０及び図１１に示すように、第１ストッパ１７１の奥側の内側壁には、回動する上記突起１７４ａと干渉しないように窪み１７７が形成されている。
【００７５】
これにより、発生したゴミが第１ストッパ１７１の奥側へ落下してもガード１７５に阻まれて滑り落ちないので、ほぼ全てのゴミを第１ストッパ１７１内に溜めることができる。そして、カバー１７４の回動に伴ってリブ１７６にオーバーラップする突起１７４ａが第１ストッパ１７１内に溜まったゴミを全てすくい上げるので、全てのゴミを外部へ効率よく出すことができる。したがって、ロール紙を排紙スタッカ１６０上に容易に積載することができるとともに、ゴミによる装置の動作不良の発生を防止することができる。なお、窪み１７７により第１ストッパ１７１の溝幅が広がったので、窪み１７７を利用してユーザが指でゴミを第１ストッパ１７１内から摘み出すことも可能である。
【００７６】
以上説明したように、本発明によれば、後から排出される記録媒体の先端は、先に排出され排出スタッカ上に載置されている記録媒体の最頂部を越えるので、後から排出される記録媒体が先に排出され排出スタッカ上に載置されている記録媒体を排出スタッカから押し出してしまうようなことは無くなり、後から排出される記録媒体を先に排出され排出スタッカ上に載置されている記録媒体上に確実に積載することができる。
【産業上の利用可能性】
【００７７】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、排紙スタッカを有する記録装置であれば、例えば熱転写式等のプリンタ、インクジェット式、熱転写式等のファクシミリ装置やコピー装置等にも適用可能である。
【図面の簡単な説明】
【００７８】
【図１】本発明の一実施の形態に係る記録装置の１つであるインクジェット式記録装置の外装構成の全体を斜め前方から見た斜視図である。
【図２】図１のインクジェット式記録装置の内部構成例を示す第１の断面側面図である。
【図３】図１のインクジェット式記録装置の内部構成例を示す第２の断面側面図である。
【図４】図１のインクジェット式記録装置のカッタ等を示す斜視図である。
【図５】図１のインクジェット式記録装置の排紙スタッカの使用時の状態を示す斜視図である。
【図６】図１のインクジェット式記録装置に使用される用紙の特性を示す図である。
【図７】図１のインクジェット式記録装置の排紙スタッカの特徴を示す第１の図である。
【図８】図１のインクジェット式記録装置の排紙スタッカの特徴を示す第２の図である。
【図９】図１のインクジェット式記録装置の排紙スタッカの特徴を示す第３の図である。
【図１０】図１のインクジェット式記録装置の排紙スタッカを示す第１の斜視図である。
【図１１】図１のインクジェット式記録装置の排紙スタッカを示す第２の斜視図である。
【図１２】図１のインクジェット式記録装置の排紙サポートを示す第１の図である。
【図１３】従来のインクジェット式記録装置の排紙スタッカの問題を示す第１の図である。
【図１４】図１のインクジェット式記録装置の排紙サポートを示す第２の図である。
【図１５】図１のインクジェット式記録装置の排紙サポートを示す第３の図である。
【図１６】従来のインクジェット式記録装置の排紙スタッカの問題を示す第２の図である。
【図１７】図１のインクジェット式記録装置の排紙サポートを示す第４の図である。
【図１８】従来のインクジェット式記録装置の排紙スタッカの問題を示す第３の図である。
【図１９】図１のインクジェット式記録装置の排紙ステイを示す斜視図である。
【図２０】図１のインクジェット式記録装置の排紙ステイを示す図である。
【図２１】図１のインクジェット式記録装置の排紙ステイを示す拡大図である。
【図２２】ロール紙の切断方法を示す図である。
【図２３】図１のインクジェット式記録装置の排紙スタッカを示す第３の斜視図である。
【図２４】図１のインクジェット式記録装置の排紙スタッカを示す第４の斜視図である。
【図２５】図１のインクジェット式記録装置の排紙サポートを示す第５の図である。
【図２６】従来のインクジェット式記録装置の排紙スタッカの問題を示す第１の図である。
【図２７】従来のインクジェット式記録装置の排紙スタッカの問題を示す第２の図である。
【図２８】従来のインクジェット式記録装置の排紙スタッカの問題を示す第３の図である。
【符号の説明】
【００７９】
１０  ロール紙ホルダ、  ２０  カッタ、  １００  インクジェット式記録装置、  １０１  ハウジング、  １１０  カバー、  １２０  操作部、  １３０  カードスロット部、  １４０  給紙口、  １５０  排紙口、  １６０  排紙スタッカ、  １６１、１６２、１６３  スタッカ部材、  １７０  排紙サポート、  １７１  第１ストッパ、  １７２  ガイド、  １７３  第２ストッパ、  １７４  カバー、  １７５  ガード、  １８０  排紙ステイ、  １８１  ステイ、  １８１ａ  ピン、  １８１ｂ  カム溝、  １８２  ステイリンク、  １９９  排紙ローラ。
【図１】
2006256869.tif 000003
【図２】
2006256869.tif 000004
【図３】
2006256869.tif 000005
【図４】
2006256869.tif 000006
【図５】
2006256869.tif 000007
【図６】
2006256869.tif 000008
【図７】
2006256869.tif 000009
【図８】
2006256869.tif 000010
【図９】
2006256869.tif 000011
【図１０】
2006256869.tif 000012
【図１１】
2006256869.tif 000013
【図１２】
2006256869.tif 000014
【図１３】
2006256869.tif 000015
【図１４】
2006256869.tif 000016
【図１５】
2006256869.tif 000017
【図１６】
2006256869.tif 000018
【図１７】
2006256869.tif 000019
【図１８】
2006256869.tif 000020
【図１９】
2006256869.tif 000021
【図２０】
2006256869.tif 000022
【図２１】
2006256869.tif 000023
【図２２】
2006256869.tif 000024
【図２３】
2006256869.tif 000025
【図２４】
2006256869.tif 000026
【図２５】
2006256869.tif 000027
【図２６】
2006256869.tif 000028
【図２７】
2006256869.tif 000029
【図２８】
2006256869.tif 000030